【手続補正書】
【提出日】平成17年7月13日(2005.7.13)
【手続補正１】
【補正対象書類名】特許請求の範囲
【補正対象項目名】全文
【補正方法】変更
【補正の内容】
【特許請求の範囲】
【請求項１】
複数の網目（３）を有するネット（７）と、
前記網目（３）の上部列の一に装着される上部ロープ（１）と、
前記網目（３）の下部列の一に装着される下部ロープ（２）と、を備え、
前記ネット（７）が、ネット（７）の排出中に網目（３）の一定の開口寸を維持するために取り付け網目セルに装着される取り付けライン（９）をさらに備えていることを特徴とするネット。
【請求項２】
請求項１記載のネット（７）であって、
前記上部ロープ（１）が浮動ロープであることを特徴とするネット。
【請求項３】
請求項１記載のネット（７）であって、
前記下部ロープ（２）が沈降ロープであることを特徴とするネット。
【請求項４】
請求項３記載の沈降ロープであって、
前記沈降ロープ（２）が部分的にリード線、鋼、または任意の他の重い可撓性材料から形成されることを特徴とする沈降ロープ。
【請求項５】
請求項１記載のネット（７）であって、
前記取り付けライン（９）がネットの取り付け網目バーに、結び目、溶融精錬、フッキングまたは接着、あるいは他の締結手段（非逆ループ）によって留められ、取り付けライン（９）の全長が、締結手段とともに、ネット（７）が取り付けられるロープ（６）の全長に一致することを特徴とするネット。
【請求項６】
請求項1記載の取り付けライン（９）であって、
前記取り付けライン（９）が、自然素材及び／または合成素材、あるいはポリプロピレン、ナイロン等のその任意の組み合わせから形成可能であることを特徴とする取り付けライン。
【請求項７】
請求項１〜６のいずれか一項に記載の取り付けライン（９）であって、
前記取り付けライン（９）が、好ましくは１０ｍｍ未満、さらに好ましくは直径で５ｍｍ未満、最も好ましくは直径で１ｍｍ未満である、ネット（７）の網目バーの直径に一致する直径からなることを特徴とする取り付けライン。
【請求項８】
ネットであって、複数のネットの網目（３）と、前記網目（３）の上部列の一に装着されるトップロープ（１）と、前記網目（３）の下位列の一に装着されるボトムロープ（２）と、前記網目セルに装着される取り付けライン（９）と、をさらに有するネット（７）の取り付けライン（９）を少なくとも２つの網目セル（８）に装着し、あるいは一定の距離で網目セルを取り付け、前記取り付けライン（９）をネットロープ（６）の全長に一致させるステップと、
排出装置上にネット（７）を取り付け、張るステップと、
締結手段を前記排出装置の周囲に置き、前記締結手段が現場作業中にネットの排出中にネットロープ（６）の周りで締められるステップと、
ネットロープ（６）が排出装置を貫通できるようにし、ロープ（６）の前部が、前部が排出装置を貫通した後に取り付けライン（９）に装着されるステップと、
ネットロープ（６）および取り付けライン（９）をも引っ張ることにより排出装置に事前に取り付けられ編まれたネットを外すステップと、
ロープ（６）全体が排出装置を貫通し、ネット（７）がネットロープ（６）上に装着された際にネットロープ（６）の後部に取り付けライン（９）の後部を装着するステップと、を備えることを特徴とする事前に取り付けられ編まれたネットを排出する方法。
【請求項９】
請求項８記載の方法であって、
前記取り付けライン（９）自体が管の周りに編まれるものの、取り付けライン（９）に装着していない網目セルは緩い状態であり、それにより取り付けラインがロープ（６）の周りに取り付けられるが、取り付け網目セル（８）が緩い状態であることを特徴とする方法。
【請求項１０】
請求項８記載の方法であって、
ネットの取り付け網目セル（８）の上の締結手段が排出装置の周りに設置されているが、緩い網目（３）が排出装置の外部で保持たれ、取り付けライン（９）自体の上に設置されることを特徴とする方法。
【請求項１１】
請求項８記載の方法であって、
すべての網目（３）及び取り付け手段が、取り付けライン（９）上ではなく排出装置上に保持されることを特徴とする方法。
【請求項１２】
請求項８記載の方法であって、
取り付けライン（９）が排出装置上の取り付け網目セル（８）の内側に設置され、それにより取り付けライン（９）をこのようにネットの取り付け網目セル（８）間またはそれを通して設置できることを特徴とする方法。
【請求項１３】
請求項８記載の方法であって、
すべての取り付け網目セル（８）が排出装置の周りに設置され、取り付けラインがネット（７）の取り付け網目セル（８）の外部にあることを特徴とする方法。
【請求項１４】
請求項８〜１３のいずれか一項に記載の方法であって、
追加の排出装置（１１）が配列され、ネット（７）をネット（７）の中間部の第２の浮動ロープ（１）上に取り付けることができるようにすることを特徴とする方法。
【請求項１５】
請求項８〜１４のいずれか一項に記載の方法であって、
前記取り付けライン（９）が第1の網目セルと定義される特定の網目セルに締結され、次いで第２の網目セルと定義される続く網目セルに締結され、それは第1の網目セルと同じ網目セルと前記ネット第1の網目セルの上または下だけではなく、前記第1の網目セルの前または後ろのどちらかの他の網目（３）であることを特徴とする方法。
【請求項１６】
請求項８〜１５のいずれか一項に記載の方法であって、
取り付けライン（９）が、ネットの取り付け網目バーに、結び目、溶融精錬、フッキングまたは接着あるいは任意の他の締結手段（非逆ループ）によって取り付けられ、取り付けライン（９）の全長が、締結手段とともにネット（７）が取り付けられるロープ（６）長に一致することを特徴とする方法。
【請求項１７】
請求項８〜１６のいずれか一項に記載の方法であって、
ネットの網目（３）が針を用いて取り付けライン（９）を通して縁取られ、網目（３）の縫い目が取り付けライン（９）を通過し、網目（３）自体がネット（７）が取り付けられているロープ（６）と同じ長さの取り付けライン（９）を保つことによりそれ以後排出装置上に張られることを特徴とする方法。
【請求項１８】
請求項８〜１７のいずれか一項に記載の方法であって、
前記ネット（７）が、ネット（７）の中間部に設置される追加のロープ（６）だけではなく、上部ロープ及び下部ロープ（２）にも取り付けられることを特徴とする方法。
【請求項１９】
請求項８〜１８のいずれか一項に記載の方法であって、
取り付けラインの結び目は少なくとも２つであり、前記ネットロープ（６）の対向する端部に設置され、好ましくは追加の３または４以上の結び目が前記２つの端部の結び目間に設置され、結び目間の距離と結び目の数とが上部ロープ（１）と下部ロープ間で変化し得ることを特徴とする方法。
【請求項２０】
請求項８〜１９のいずれか一項に記載の方法であって、
状況に応じてロープ（６）上の取り付けライン（９）の結び目数に一致する所定の追加長が前記取り付けラインに追加されることを特徴とする方法。
【請求項２１】
請求項８〜２０のいずれか一項に記載の方法であって、
前記締結手段が従来の結び目あるいは自己締結型の取り付け用の結び目（１０）であることを特徴とする方法。
【請求項２２】
請求項２１記載の方法であって、
前記自己締結型の結び目（１０）がクラブヒッチ（４）、逆クラブヒッチ、または追加の引き結び（５）を有するクラブヒッチ（４）であることを特徴とする方法。
【請求項２３】
請求項８〜２２のいずれか一項に記載の方法であって、
排出が船舶から行われることを特徴とする方法。
【請求項２４】
請求項１６〜２３のいずれか一項に記載の方法であって、
浮動ロープ（１）の周りの結び目（１０）が、上部ロープの上方への浮力及び下部ロープ（２）の下方への引っ張りの力により、上部ロープ（１）の周りで締められる自己締結型の結び目であることを特徴とする方法。
【請求項２５】
請求項１６〜２４のいずれか一項に記載の方法であって、
サイドメッシュ（３）がネット（７）の中間部に向かって外側メッシュ（３）から一緒に引っ張られ、ロープがネット（７）の周りで締められ、ロープの端部がサイドメッシュ（３）を通して引っ張られることを特徴とする方法。
【請求項２６】
請求項８〜２５のいずれか一項に記載の方法で製造される排出装置上に事前に取り付けられ、編まれるネット（７）。